(57)【特許請求の範囲】
【請求項１】
第１キャビネットと第２キャビネットとを嵌合させ又突き合わせて組み付けられる電子機器において、
上記第１キャビネットに設けられた組付阻止部と、
上記第２キャビネットに設けられた組付許容部用貫通孔に対し、上記第１キャビネットを嵌合させ又は突き合わせる方向と交差する方向に差し込まれ、上記第１キャビネットを嵌合させ又は突き合わせるのを許容する突出位置と上記第１キャビネットを嵌合させ又は突き合わせるのを阻止する差込位置とに切換可能な組付許容部とを備える
ことを特徴とする電子機器。
【請求項２】
請求項１に記載の電子機器において、
上記組付許容部の差込方向奥側には、該組付許容部によって押圧される押圧式スイッチが設けられている
ことを特徴とする電子機器。
【請求項３】
請求項２に記載の電子機器において、
上記第２キャビネットに形成され、上記組付許容部が有するアーム部に設けた係合部が係合する被係合部を有し、
上記被係合部は、上記突出位置に対応する第１被係合部と上記差込位置に対応する第２被係合部とを有し、
上記係合部が上記第２被係合部に係合した状態で上記組付許容部を押し込んで上記押圧式スイッチを操作可能に構成されている
ことを特徴とする電子機器。
【請求項４】
請求項３に記載の電子機器において、
上記第２キャビネットには、上記係合部を押し込んで上記第２被係合部との係合を解除するための窓部が形成されている
ことを特徴とする電子機器。
【請求項５】
請求項１から４までのいずれか１つに記載の電子機器において、
上記組付許容部用貫通孔の周縁における上記第２キャビネットを第１キャビネットに嵌合又は突き合わせする方向には、上記組付許容部に当接して該組付許容部を安定させる組付許容部受部が形成されている
ことを特徴とする電子機器。
【発明の詳細な説明】
【技術分野】
【０００１】
本発明は、第１キャビネットと第２キャビネットとを嵌合させて組み付けられる電子機器に関するものである。
【背景技術】
【０００２】
従来より、例えば、特許文献１のカードキーのように、電池カバー側に突起状の当接面を形成し、樹脂ケース側に凹状の当接面を形成し、電池カバーを大きく変形させながら、樹脂ケースに電池カバーを嵌合するものが知られている。
【先行技術文献】
【特許文献】
【０００３】
【特許文献１】特開２０１４−７７２４５号公報
【発明の概要】
【発明が解決しようとする課題】
【０００４】
上記特許文献１のもののように、カバー側及び樹脂ケース側の少なくとも一方の柔軟性が高い場合には、嵌合時に一方を大きく変形させても損傷しにくいが、柔軟性がなく剛性が高い場合、突出量が大きすぎる場合などには、一方を大きく変形させようとすると、カバー等が損傷したり、傷跡が付いたりするという問題がある。
【０００５】
本発明は、かかる点に鑑みてなされたものであり、その目的とするところは、複数のキャビネットを大きく変形させることなく容易に嵌合させ又は突き合わせて組み付けできるようにすることにある。
【課題を解決するための手段】
【０００６】
上記の目的を達成するために、この発明では、複数のキャビネットの嵌合を阻止する部分を、挿入位置を変更可能な組付許容部で構成するようにした。
【０００７】
具体的には、本発明では、第１キャビネットと第２キャビネットとを嵌合させ又突き合わせて組み付けられる電子機器を前提とし、
上記電子機器は、
上記第１キャビネットに設けられた組付阻止部と、
上記第２キャビネットに設けられた組付許容部用貫通孔に対し、上記第１キャビネットを嵌合させ又は突き合わせる方向と交差する方向に差し込まれ、上記第１キャビネットを嵌合させ又は突き合わせるのを許容する突出位置と上記第１キャビネットを嵌合させ又は突き合わせるのを阻止する差込位置とに切換可能な組付許容部とを備える。
【０００８】
上記の構成によると、組付許容部が差込位置にあるときには、第１キャビネットの嵌合部が第２キャビネットの被嵌合部に嵌め込まれるのを阻止するものの、突出位置に切り換えることで、嵌合部が被嵌合部に嵌め込まれるのを許容する。このため、従来のように第１キャビネット又は第２キャビネット自体を大きく変形させなくても、第１キャビネットと第２キャビネットとを嵌合させ又は突き合わせることができる。
【発明の効果】
【０００９】
以上説明したように、本発明によれば、組付許容部を第２キャビネットに形成された組付許容部用貫通孔に対し、第１キャビネットを第２キャビネットに嵌合させ又は突き合わせる方向と交差する方向に差し込み、第１キャビネットを嵌合させ又は突き合わせるのを許容する突出位置と第１キャビネットを嵌合させ又は突き合わせるのを阻止する差込位置とに切換可能にしたことにより、複数のキャビネットを大きく変形させることなく容易に嵌合させ又は突き合わせて組み付けできるようにする。
【図面の簡単な説明】
【００１０】
【図１】図４のVIb-VIb線に対応する断面図であり、（ａ）がリルートスイッチが差込位置にあり組付を阻止する状態を示し、（ｂ）がリルートスイッチが突出位置にあり、組付可能な状態を示す。
【図２】本発明の実施形態１に係るルータの使用状態を示し、（ａ）が正面から見た斜視図であり、（ｂ）が背面から見た斜視図である。
【図３】ルータを示す分解斜視図である。
【図４】ルータを一部拡大して示す斜視図である。
【図５】第２キャビネットを一部拡大して示す斜視図である。
【図６】図４のVIb-VIb線断面図であり、（ａ）がリルートスイッチの突出位置を示し、（ｂ）がリルートスイッチの差込位置を示す。
【図７】リルートスイッチを拡大して示し、（ａ）がキートップ側から見た斜視図であり、（ｂ）が押圧部側から見た斜視図である。
【図８】実施形態２に係るリルートスイッチ及びその周辺を示す拡大断面図であり、（ａ）が差込位置を示し、（ｂ）が突出位置を示す。
【図９】実施形態３に係るリルートスイッチ及びその周辺を示す拡大断面図である。
【図１０】実施形態４に係るリルートスイッチ及びその周辺を示す拡大断面図である。
【発明を実施するための形態】
【００１１】
以下、本発明の実施形態を図面に基づいて説明する。
【００１２】
（実施形態１）
図２は本発明の実施形態１の電子機器としてのＷｉ−Ｆｉルータ１の使用状態を示し、このルータ１は、インターネット用にモバイルブロードバンド回線への接続機能を備えた無線ＬＡＮ機器用のルータであり、例えば、６本のアンテナ５１を立て、ＡＣアダプターケーブル５２、ＵＳＢ（Ｕｎｉｖｅｒｓａｌ  Ｓｅｒｉａｌ  Ｂｕｓ）ケーブル５３、ＬＡＮケーブル等を接続可能となっている。
【００１３】
図３〜図６に示すように、ルータ１は、第１キャビネット２と第２キャビネット３とを嵌合させて組み付けられるようになっている。例えば、樹脂成形品で構成される第１キャビネット２は、図３に示すように、その外周に連続した枠状の嵌合部２ａが形成され、背面側には複数の突起状の嵌合受け部２ｄが離散的に配置されている。一方、第２キャビネット３には、図５に示すように、嵌合部２ａが嵌め込まれる、連続した枠状の被嵌合部３ａが形成されている。これら嵌合部２ａ、嵌合受け部２ｄ及び被嵌合部３ａの形状はこれらに限定されず、一方が突条で他方が溝状などでもよいし、嵌合部２ａ及び嵌合受け部２ｄは第２キャビネット３、被嵌合部３ａは第１キャビネット２に設けられてもよいが、その挿入方向が第１キャビネット２の合わせ面と第２キャビネット３の合わせ面との突き合わせ方向であればよい。つまり、嵌合部２ａと被嵌合部３ａとを嵌合する方向が突き合わせ方向であり、例えば、突き合わせ方向に垂直な方向にスライドさせて嵌合できないようになっている。
【００１４】
嵌合受け部２ｄはなくてもよいが、これがあると第２キャビネット３を内側に押されても、第１キャビネット２との間に隙間ができにくくなる。また、突き合わせ方向に垂直な方向にスライドさせて嵌合させるのがより難しくなる。
【００１５】
図３及び図６に示すように、これら嵌合部２ａ及び被嵌合部３ａは、第１キャビネット２と第２キャビネット３との間に回路基板６及びその回路基板６を保護するフレーム板金７を挟み込むようにして嵌合されている。回路基板６には、多数の発熱源が含まれるので、第１キャビネット２の第１中央開口２ｂに例えばアルミ板よりなる第１放熱板４が取り付けられ、第２キャビネット３の第２中央開口３ｂに例えばアルミ成形品よりなる第２放熱板５が取り付けられている。
【００１６】
例えば、第１放熱板４は、第１中央開口２ｂに背面側から嵌め込まれている。第２放熱板５は、第２キャビネット３に設けた第２中央開口３ｂの周縁に設けたネジ孔に固定用ビス５ａを締結することで締結されているが、これらの固定方法は限定されない。
【００１７】
図２（ｂ）に示すように、第２キャビネット３の背面側には、ＡＣアダプターケーブル５２、ＵＳＢケーブル５３、ＬＡＮケーブル等を接続するための接続用凹部３ｃが凹陥されている。それに対応させ、図３に示すように、回路基板６には、組付阻止部としてのＤＣ入力コネクタ６ａ、ＵＳＢコネクタ６ｂ、ＬＡＮコネクタ６ｃ、設定用ディップスイッチ６ｄ等が装着されている。接続用凹部３ｃには、これらの装着部品を露出させてＡＣアダプターケーブル５２、ＵＳＢケーブル５３、ＬＡＮケーブル等を抜き差しできるようにする複数の接続用開口３ｄが間隔を空けて形成されている。なお、本実施形態では、ＤＣ入力コネクタ６ａ、ＵＳＢコネクタ６ｂ、ＬＡＮコネクタ６ｃ、設定用ディップスイッチ６ｄの全てを組付阻止部としているが、少なくとも１つが組付阻止部に該当していればよい。
【００１８】
そして、本実施形態では、図４〜図６に示すように、第２キャビネット３の側面に円形状の組付許容部用貫通孔としてのスイッチ用貫通孔１０が形成されている。このスイッチ用貫通孔１０には、嵌合部２ａを被嵌合部３ａに嵌め込む方向と交差する方向（すなわち垂直方向）に組付許容部としてのリルートスイッチ１１が差し込まれている。そして、リルートスイッチ１１を差し込む方向の奥側の回路基板６には、リルートスイッチ１１の押圧部１１ｂによって押圧される押圧式スイッチ１２が設けられている。ここで、リルートスイッチ１１は、例えばルータ１の通信経路を切り換えるためのスイッチである。
【００１９】
リルートスイッチ１１は、嵌合部２ａが被嵌合部３ａに嵌め込まれるのを許容する突出位置Ｂと嵌合部２ａが被嵌合部３ａに嵌め込まれるのを阻止する差込位置Ａとに位置を切換可能となっている。
【００２０】
具体的には、図７に示すように、リルートスイッチ１１は、例えば適度な剛性と柔軟性とを有する樹脂成形品よりなり、外観に露出するキートップ１１ａと、このキートップ１１ａの押圧方向先端側に形成された押圧部１１ｂと、この押圧部１１ｂに連続するアーム部１１ｃとを備えている。アーム部１１ｃは、キートップ１１ａに比べて細く湾曲した形状であり、弾性力を発揮できるようになっている。本実施形態では、アーム部１１ｃは、キートップ１１ａと一体に設けているが、別体のものを接着等により組み付けるようにしてもよい。アーム部１１ｃの先端には、鉤状の係合部１１ｄが突設されている。これに対応させて第２キャビネット３には、リルートスイッチ１１が有するアーム部１１ｃの先端に設けた係合部１１ｄが係合する被係合部１３が一体に形成されている。図５に拡大して示すように、被係合部１３は、中央に隆起部１３ａを有し、その手前側が第１平坦部１３ｂを構成し、その奥側が第２平坦部１３ｃを構成している。図６（ａ）に示すリルートスイッチ１１の突出位置Ｂでは、アーム部１１ｃの係合部１１ｄが第１平坦部１３ｂにあり、図６（ｂ）に示すリルートスイッチ１１の差込位置Ａでは、係合部１１ｄが第２平坦部１３ｃにある。そして、アーム部１１ｃは適度な柔軟性を有するので、隆起部１３ａを超えることができ、隆起部１３ａを超えて第２平坦部１３ｃにあるときには、アーム部１１ｃの弾性力により、リルートスイッチ１１がスイッチ用貫通孔１０から抜け出さないようになっている。また、アーム部１１ｃの弾性力により、リルートスイッチ１１がぐらつかないようにしてもよい。差込位置Ａで係合部１１ｄが第２平坦部１３ｃに係合した状態でリルートスイッチ１１を押し込んで押圧式スイッチ１２を操作可能に構成されている。なお、変形例として、係合部１１ｄを凹状とし、隆起部１３ａを平坦にし、第１平坦部１３ｂ及び第２平坦部１３ｃを凸状にして凹状の係合部１１ｄに節度を持って嵌め込むようにしてもよい。
【００２１】
次いで、図面を用いてルータ１の組付手順について説明する。
【００２２】
まず、図１に示すように、第１キャビネット２の第１中央開口２ｂに背面側から第１放熱板４を嵌め込んだ状態で、回路基板６及びフレーム板金７を第１キャビネット２側に取り付けておく。ＬＡＮコネクタ６ｃ等の先端を接続用開口３ｄから露出させる構造となっているので、第２キャビネット３を組み付けるときには、まっすぐに嵌合させるのではなく、図１（ａ）に白抜き矢印で示すように、若干左側にずらしてＬＡＮコネクタ６ｃ等と接続用開口３ｄの周縁との間に隙間Ｃ１を確保しながら、黒矢印の方向へ嵌め込んでいく。予め第２キャビネット３の背面からリルートスイッチ１１をスイッチ用貫通孔１０に差し込んでおくが、図１（ａ）に示すように、リルートスイッチ１１が係合部１１ｄが第２平坦部１３ｃにある差込位置Ａにあると、その押圧部１１ｂが押圧式スイッチ１２に当接してしまって組み付けることができない。
【００２３】
一方、図１（ｂ）に示すように、リルートスイッチ１１の係合部１１ｄを隆起部１３ａを通り越して第１平坦部１３ｂに移動させると、押圧式スイッチ１２と押圧部１１ｂとの間にも隙間Ｃ２が確保されるので、ＬＡＮコネクタ６ｃ等を避けながら第１キャビネット２を第２キャビネット３側へ近付けることができる。
【００２４】
次いで、ＬＡＮコネクタ６ｃ等が接続用開口３ｄから露出するように右方向にずらしながら、図６（ａ）に示すように、嵌合部２ａと被嵌合部３ａとを嵌合させる。
【００２５】
次いで、図６（ｂ）に示すように、突出位置Ｂにあるリルートスイッチ１１のキートップ１１ａを押し込んで、第１平坦部１３ｂにある係合部１１ｄを隆起部１３ａを乗り越えさせて第２平坦部１３ｃへ移動させる。この第１キャビネット２と第２キャビネット３とを嵌合させて組み付けられた状態では、ＬＡＮコネクタ６ｃ等の先端が接続用開口３ｄから露出して嵌合方向に抜け出すことはできないので、第１キャビネット２と第２キャビネット３とが外れるのが防止された仮固定状態となる。このため、図３に示すように、回路基板６の組付用ネジ孔６ｅ及びフレーム板金７の組付用ネジ孔７ａ及び第２キャビネット３の組付用ネジ孔３ｅ（図５に示す）に組付ネジ１５を通して第１キャビネット２の組付用ボス部２ｃに締め付けて容易に固定することができる。
【００２６】
次いで、第２放熱板５を第２キャビネット３の背面から収容し、第２中央開口３ｂの周縁のネジ孔に固定用ビス５ａを締結して固定する。
【００２７】
そして、図２に示すように、第２キャビネット３のアンテナ用コネクタ３ｆにアンテナ５１を嵌め込む。
【００２８】
このルータ１を使用するときには、例えば、図２に示すように、背面側に取付アングル５４を取り付けて壁などに引っ掛けて固定するとよい。
【００２９】
このように、本実施形態では、図１（ａ）に示すように、リルートスイッチ１１が差込位置Ａにあるときには、第１キャビネット２の嵌合部２ａが第２キャビネット３の被嵌合部３ａに嵌め込まれるのを阻止するものの、図１（ｂ）に示すように、突出位置Ｂに切り換えることで、嵌合部２ａが被嵌合部３ａに嵌め込まれるのを許容し、両者が組み付けられた後に再び差し込み位置にすることで両者が外れないようにすることができるので、第１キャビネット２及び第２キャビネット３のいずれも大きく変形させることなく両者を嵌合させて組み付けることができる。
【００３０】
また本実施形態では、リルートスイッチ１１を差し込む方向の奥側にリルートスイッチ１１によって押圧される押圧式スイッチ１２を設けた。このため、組付許容部をルータ１に必要な機能を発揮する押圧式スイッチ１２を押圧するリルートスイッチ１１とすることで、部品を共通化できて見映えもよい。
【００３１】
本実施形態では、第２キャビネット３にリルートスイッチ１１が有するアーム部１１ｃの先端に設けた係合部１１ｄが係合する被係合部１３を設け、係合部１１ｄが被係合部１３に係合した状態でリルートスイッチ１１を押し込んで押圧式スイッチ１２を操作可能に構成した。このように、アーム部１１ｃに柔軟性（弾性）を持たせることで、リルートスイッチ１１としての機能と組付許容部としての機能とを両立させることができる。
【００３２】
したがって、本実施形態に係るルータ１によると、第１キャビネット２及び第２キャビネット３を大きく変形させることなく容易に嵌合させて組み付けできるようにする。
【００３３】
（実施形態２）
図８は本発明の実施形態２を示し、被係合部１３’が異なる点で上記実施形態１と異なる。なお、以下の各実施形態では、図１〜図７と同じ部分については同じ符号を付してその詳細な説明は省略する。
【００３４】
本実施形態の被係合部１３’は、突出位置Ｂに対応する凹状の第１被係合部１３ｂ’と、差込位置Ａに対応する凹状の第２被係合部１３ｃ’とを備えている。
【００３５】
本実施形態では、図８（ｂ）に示す突出位置Ｂと、図８（ａ）に示す差込位置Ａとで係合部１１ｄが第１被係合部１３ｂ’と第２被係合部１３ｃ’との間の凸部（隆起部１３ａ）を乗り越えるので、節度を持って確実に安定して切り換えることができる。また上記実施形態１の第１平坦部１３ｂ及び第２平坦部１３ｃに比べると、係合部１１ｄが通過しないデッドスペースに肉付けできるので、第２キャビネット３の補強を行える。
【００３６】
第１被係合部１３ｂ’及び第２被係合部１３ｃ’の他にそれらの中間位置などに第３被係合部を加えてもよい。
【００３７】
（実施形態３）
図９は、本発明の実施形態３を示し、窓部３ｇを有する点で上記各実施形態と異なる。
【００３８】
本実施形態では、第２キャビネット３において係合部１１ｄが第２平坦部１３ｃに係合した状態を解除するための窓部３ｇが形成されている。窓部３ｇは、ピンなどの細長い治具５５を挿入可能な貫通孔、切欠等で構成されている。
【００３９】
この構成によると、窓部３ｇにピン等の治具５５を差し込んで係合部１１ｄと第２平坦部１３ｃとの係合を解除できるので、分解作業を安全且つ容易に行うことができる。
【００４０】
（実施形態４）
図１０は本発明の実施形態４を示し、ハッチングで示す組付許容部受部３ｈを有する点で上記各実施形態と異なる。
【００４１】
本実施形態では、リルートスイッチ１１における第２キャビネット３の第１キャビネット２に対する嵌合方向（黒矢印で示す）には、スイッチ用貫通孔１０の周縁に当接してリルートスイッチ１１を安定させる組付許容部受部としてのリルートスイッチ受部３ｈが形成されている。組付許容部受部３ｈの形状は特に限定されず、リルートスイッチ１１の下側を安定して支持できるものであればよい。例えば、リルートスイッチ１１の下側の左右のみを支持する、中央のみを支持するといった離散的なものも含まれる。
【００４２】
本実施形態では、第２キャビネット３を第１キャビネット２に嵌合させるまでのリルートスイッチ１１の仮組状態を安定させることができるので、リルートスイッチ１１がぐらついたり、脱落したりしにくくなり、黒矢印で示す方向への組付が極めて容易になる。
【００４３】
（その他の実施形態）
本発明は、上記実施形態について、以下のような構成としてもよい。
【００４４】
すなわち、上記各実施形態では、組付許容部をリルートスイッチ１１としたが、これに限定されず、電源スイッチなど別の機能を有するスイッチでもよいし、スイッチ以外の機能を有する組付許容部でもよい。
【００４５】
上記実施形態では、組付阻止部をＤＣ入力コネクタ６ａ、ＵＳＢコネクタ６ｂ、ＬＡＮコネクタ６ｃ、設定用ディップスイッチ６ｄ等の部品としたが、このような突出した部品を設けるのではなく、被嵌合部３ａ及び嵌合部２ａ自体の形状が組付を阻止する組付阻止部であってもよい。この場合も、第１キャビネット２又は第２キャビネット３自体を大きく変形させなくても、第１キャビネット２と第２キャビネット３とを嵌合させて組み付けることができる。
【００４６】
上記実施形態では、嵌合部２ａが被嵌合部３ａに嵌合する構造について説明したが、このような嵌合構造ではなく、単に突き合わせるだけの構造であってもよい。
【００４７】
また、上記実施形態では、係合部１１ｄはアーム部１１ｃの先端に設けるとしたが、先端でなく中間部に設けてもよい。
【００４８】
上記実施形態では、電子機器は、ルータ１としたが、タブレット端末、ＰＨＳ（Personal Handy-phone System ）、ＰＤＡ(Personal Digital Assistant)、パソコン、モバイルツール、電子辞書、電卓、ゲーム機等であってもよく、小型の液晶ディスプレイ、液晶テレビ、ブルーレイディスクレコーダ、ＤＶＤレコーダ等であってもよい。
【００４９】
なお、以上の実施形態は、本質的に好ましい例示であって、本発明、その適用物や用途の範囲を制限することを意図するものではない。また、各実施形態に記載された技術的特徴は、互いに組合せ可能であり、組み合わせることにより、新しい技術的特徴を形成することができる。
【符号の説明】
【００５０】
１      ルータ（電子機器）
２      第１キャビネット
２ａ    嵌合部
２ｂ    第１中央開口
２ｃ    組付用ボス部
２ｄ    嵌合受け部
３      第２キャビネット
３ａ    被嵌合部
３ｂ    第２中央開口
３ｃ    接続用凹部
３ｄ    接続用開口
３ｅ    組付用ネジ孔
３ｆ    アンテナ用コネクタ
３ｇ    窓部
３ｈ    スイッチ受部（組付許容部受部）
４      第１放熱板
５      第２放熱板
５ａ    固定用ビス
６      回路基板
６ａ    ＤＣ入力コネクタ（組付阻止部）
６ｂ    ＵＳＢコネクタ（組付阻止部）
６ｃ    ＬＡＮコネクタ（組付阻止部）
６ｄ    設定用ディップスイッチ（組付阻止部）
６ｅ    組付用ネジ孔
７      フレーム板金
７ａ    組付用ネジ孔
１０      スイッチ用貫通孔（組付許容部用貫通孔）
１１      リルートスイッチ（組付許容部）
１１ａ    キートップ
１１ｂ    押圧部
１１ｃ    アーム部
１１ｄ    係合部
１２      押圧式スイッチ
１３，１３’      被係合部
１３ａ    隆起部
１３ｂ    第１平坦部
１３ｃ    第２平坦部
１３ｂ’      第１被係合部
１３ｃ’      第２被係合部
１５      組付ネジ
５１      アンテナ
５２      ＡＣアダプターケーブル
５３      ＵＳＢケーブル
５４      取付アングル
【図１】
0006320877.tif 000002
【図２】
0006320877.tif 000003
【図３】
0006320877.tif 000004
【図４】
0006320877.tif 000005
【図５】
0006320877.tif 000006
【図６】
0006320877.tif 000007
【図７】
0006320877.tif 000008
【図８】
0006320877.tif 000009
【図９】
0006320877.tif 000010
【図１０】
0006320877.tif 000011